(57)【要約】【課題】太陽電池モジュールを保持する支持部材の意匠性を改善させる。【解決手段】太陽電池モジュールを保持する支持部材１１０の端部に設けられた開口１１５を覆うためのカバー２００は、開口１１５を覆う平面部２０２と、平面部２０２から平面部と交差する方に突出し、支持部材１１０に係合可能に構成された突出部２０４と、を有する。【選択図】図３
2018104939.tif 000002
【特許請求の範囲】
【請求項１】
太陽電池モジュールを保持する支持部材の端部に設けられた開口を覆うためのカバーであって、
前記開口を覆う平面部と、
前記平面部から前記平面部と交差する方に突出し、前記支持部材に係合可能に構成された突出部と、を有するカバー。
【請求項２】
前記突出部は、使用時に前記支持部材の底部と面するように構成されており、
前記突出部は、前記支持部材を他の要素に固定する固定具によって前記支持部材の前記底部に固定可能に構成されている、請求項１に記載のカバー。
【請求項３】
前記突出部は、前記固定具が挿入される孔を有し、
前記孔は、前記突出部の突出方向に沿って延びている、請求項２に記載のカバー。
【請求項４】
前記突出部は、締結部材によって前記支持部材に締結可能に構成されている、請求項１に記載のカバー。
【請求項５】
前記突出部は、前記支持部材に当接するリブを有する、請求項１に記載のカバー。
【請求項６】
互いに対向する一対の前記突出部が設けられており、
一対の前記突出部は波形の板によって形成されており、
一対の前記突出部どうしの間の距離が最も大きい部分は、一対の前記突出部と当接する前記支持部材の一対の内面どうしの間の間隔と同一又は前記間隔よりも大きい、請求項１に記載のカバー。
【請求項７】
前記平面部は、前記支持部材の前記開口を外側に連通させる切り欠き又は貫通孔を有する、請求項１から６のいずれか１項に記載のカバー。
【請求項８】
前記カバーと前記支持部材との間に隙間を形成するように前記支持部材と係合可能に構成されている、請求項１から７のいずれか１項に記載のカバー。
【請求項９】
前記平面部は、前記支持部材の、前記開口を囲む側端部に当接する突起部をさらに有する、請求項８に記載のカバー。
【請求項１０】
前記突起部は、前記カバーの高さ方向に前記平面部の一端から他端まで延びている、請求項９に記載のカバー。
【請求項１１】
前記平面部は、前記隙間が、前記支持部材が延びる方向と交差する方向に向くように、前記支持部材の前記開口側の端部に対して傾いている、請求項８から１０のいずれか１項に記載のカバー。
【請求項１２】
前記突出部は、前記支持部材の底部に係合可能に構成されており、
前記突出部は、切り欠き又は貫通孔を有する、請求項１１に記載のカバー。
【請求項１３】
請求項１から１２のいずれか１項に記載のカバーと、
前記カバーによって覆われる前記開口を有する前記支持部材と、を含む、太陽電池モジュール用の固定装置。
【発明の詳細な説明】
【技術分野】
【０００１】
本発明は、太陽電池モジュールを保持する固定装置に設けられた開口を覆うためのカバー、及び太陽電池モジュール用の固定装置に関する。
【背景技術】
【０００２】
近年、アレイ状に配置された複数の太陽電池モジュールが建造物の屋根のような場所に設置されることがある。太陽電池モジュールは、屋根に設置された固定装置（架台）に保持させることで屋根上に設置される（特許文献１）。
【０００３】
特許文献１は、複数のパネル状の太陽電池モジュールを固定する架台を開示している。架台は、太陽電池モジュールの裏面側において互いに間隔をあけて配置され、太陽電池モジュールを固定する複数の柱状部材を有する。柱状部材は、太陽電池モジュールの側部フレームに沿って延びる縦材と、縦材と直交する方向に延びる横材と、を含む。
【先行技術文献】
【特許文献】
【０００４】
【特許文献１】特開２０１６−１１９８１２号
【発明の概要】
【発明が解決しようとする課題】
【０００５】
一般的に、太陽電池モジュールを保持する縦材と横材の少なくとも一方（以下、「支持部材」と称する。）は、支持部材が延びる方向に直交する断面において、Ｃ字形の形状を有する。すなわち、支持部材は、支持部材が延びる方向に沿って延びた中空の構造を有する。さらに、支持部材は、一般に、支持部材が延びる方向における端部において開口しており、前述の中空構造は外部空間と連通している。
【０００６】
本願発明者は、このように支持部材の端部が開口していると、太陽電池モジュールを保持する固定装置の意匠性が劣ってしまうという課題を見出した。特に、傾斜した屋根に太陽電池モジュールを設置する場合、傾斜方向に沿って配置される支持部材の一端部の開口は、軒側に向けられるため、軒側から屋根を見上げたユーザから視認される可能性が高い。よって、太陽電池モジュールを保持する支持部材の意匠性を改善させることが望まれる。
【課題を解決するための手段】
【０００７】
一態様に係るカバーは、太陽電池モジュールを保持する支持部材の端部に設けられた開口を覆うためのカバーに関する。カバーは、開口を覆う平面部と、平面部から平面部と交差する方に突出し、支持部材に係合可能に構成された突出部と、を有する。
【０００８】
一態様に係る太陽電池モジュール用の固定装置は、上記カバーと、カバーによって覆われる開口を有する支持部材と、を含む。
【発明の効果】
【０００９】
上記態様によれば、支持部材の端部に設けられた開口を覆うカバーによって、太陽電池モジュールを保持する支持部材の意匠性を改善することができる。
【図面の簡単な説明】
【００１０】
【図１】第１の実施形態に係るパネル用の固定装置と、固定装置に設置されたパネルとを示す斜視図である。
【図２】図１の２Ａ−２Ａ方向に沿った固定装置の部分的断面図である。
【図３】固定装置を構成する第１の支持部材及びカバーの分解斜視図である。
【図４】第１の実施形態に係るカバーが装着された第１の支持部材の斜視図である。
【図５】第２の実施形態に係る第１の支持部材及びカバーの分解斜視図である。
【図６】第２の実施形態に係るカバーを装着した第１の支持部材の斜視図である。
【図７】第３の実施形態に係る第１の支持部材及びカバーの分解斜視図である。
【図８】第３の実施形態に係るカバーを装着した第１の支持部材の斜視図である。
【図９】第４の実施形態に係る第１の支持部材及びカバーの分解斜視図である。
【図１０】第４の実施形態に係る第１の支持部材及びカバーの別の角度から見た分解斜視図である。
【図１１】第１の固定部及び第２の固定部を取り付けた状態の第４の実施形態に係る第１の支持部材及びカバーの斜視図である。
【図１２】第４の実施形態に係るカバーで開口を覆った状態の第１の支持部材の斜視図である。
【図１３】第５の実施形態に係る第１の支持部材及びカバーの分解斜視図である。
【図１４】第５の実施形態に係るカバーを装着した第１の支持部材の斜視図である。
【図１５】第６の実施形態に係るカバーを装着した第１の支持部材の斜視図である。
【図１６】図１５の１６Ａ−１６Ａ線に沿ったカバー及び第１の支持部材の断面図である。
【図１７】第７の実施形態に係るカバーの上面図である。
【図１８】第７の実施形態に係る第１の支持部材及びカバーの分解斜視図である。
【図１９】第７の実施形態に係るカバーを装着した第１の支持部材の斜視図である。
【図２０】第８の実施形態に係るカバーを装着した第１の支持部材の平面図である。
【図２１】第９の実施形態に係るカバーを装着した第１の支持部材の上面図である。
【図２２】第１０の実施形態に係るカバーを装着した第１の支持部材の断面図である。
【図２３】第１０の実施形態に係るカバーの斜視図である。
【発明を実施するための形態】
【００１１】
以下、図面を参照して、実施形態について説明する。以下の図面において、同一又は類似の部分には、同一又は類似の符号を付している。ただし、図面は模式的なものであり、各寸法の比率等は現実のものとは異なることがあることに留意すべきである。
【００１２】
（１）第１の実施形態
図１は、第１の実施形態に係るパネル用の固定装置と、固定装置に設置されたパネルとを示す斜視図である。なお、図１では、パネルを設置する設置面、第１の支持部材及び第２の支持部材を示すため、一部のパネルは省略されている。図２は、図１の２Ａ−２Ａ方向に沿った固定装置の部分的断面図である。図３は、固定装置を構成する後述の第１の支持部材及びカバーの分解斜視図である。図４は、カバーが装着された第１の支持部材の斜視図である。
【００１３】
パネル用の固定装置１００は、例えば屋根のような設置面１２に固定される。固定装置１００は、複数のパネル２０を支持している。パネル２０は太陽電池モジュールであってよい。
【００１４】
固定装置１００は、複数の第１の支持部材１１０と、複数の第２の支持部材１２０と、を有する。第１の支持部材１１０は、第１の方向（Ｙ方向）に沿って延びており、設置面１２に固定される。第２の支持部材１２０は、第１の方向に交差する第２の方向（Ｘ方向）に沿って、少なくとも２つの第１の支持部材１１０にわたって延びている。第２の支持部材１２０は、第１の支持部材１１０上に配置される。複数のパネル２０は、第１の方向（Ｙ方向）及び第２の方向（Ｘ方向）に沿って複数並んでいてよい。各々のパネル２０は、第１の方向に互いに隣接する第２の支持部材１２０どうしによって支持される。
【００１５】
本実施形態では、第１の方向は、屋根の傾斜方向に相当し、第２の方向は、第１の方向に直交する方向（水平方向）に相当する。しかしながら、本発明はこれに限定されるわけではない。第１の方向と第２の方向は、複数のパネル２０を支持することができるかぎり、それぞれどの方向に沿っていてもよい。また、第１の方向と第２の方向とは、互いに直交している必要はなく、互いに交差していればよい。また、パネル用の固定装置１００は、屋根のような傾斜した設置面だけでなく、水平な設置面に固定することもできる。
【００１６】
第１の支持部材１１０は、設置面１２上に配置される不図示の固定金具や、例えばボルトのような固定具３００（図２参照）によって設置面１２に固定することができる。複数の第１の支持部材１１０は、屋根の垂木に固定するために、一般に、垂木の間隔に合わせて配置されていてよい。
【００１７】
本実施形態では、第１の支持部材１１０は、第１の方向に沿って延びている。第１の支持部材１１０は、上面が開放した細長い中空の四角柱状に形成されていてよい。細長い中空は、第１の方向に沿って第１の支持部材１１０の端部まで延びており、第１の支持部材１１０の端部で開口１１５を形成する。第１の支持部材１１０の上面１１２には、第１の方向に沿って延びる開放部１１１が形成されていてよい。第１の支持部材１１０の上面１１２は、開放部１１１を挟んで両側に位置している。第１の支持部材の上面１１２は、第２の支持部材１２０を載せる面を構成する。
【００１８】
複数の第２の支持部材１２０のうち両端側の２つを除く第２の支持部材は、第１の方向に互いに隣接する２つのパネル２０をそれぞれ積載するよう構成されている。複数の第２の支持部材１２０のうち両端側の２つの第２の支持部材１２０ａ，１２０ｂは、１つのパネル２０を積載するよう構成されている。なお、１つのパネル２０は、互いに隣接する第２の支持部材１２０，１２０ａ，１２０ｂによって支持される。
【００１９】
次に、第１の方向（Ｙ方向）における一端に位置する第２の支持部材１２０ａについて説明する（図２参照）。第２の支持部材１２０ａは、第１の支持部材１１０に接する底部１２２を有する。第２の支持部材１２０ａは、底部１２２よりも上方に、パネル２０を積載するための積載面１２６を有する。具体的には、積載面１２６は、底部１２２から上方に延びる支持部分１２７及び側面当接部１２８によって底部１２２より上方に支持されている。側面当接部１２８は、積載面１２６を越えて上方に延びており、パネル２０の側面に当接する。
【００２０】
第２の支持部材１２０ａはフランジ１２９を有していてよい。フランジ１２９は、側面当接部１２８の上部から第１の方向に突出する。本実施形態では、パネル２０の端部が、積載面１２６とフランジ１２９によって支持される。
【００２１】
第１の支持部材１１０は、第１の固定部１３０及び第２の固定部１４０を含んでいてよい。第１の固定部１３０及び／又は第２の固定部１４０は、第１の支持部材１１０に対して着脱可能に構成されていてもよく、第１の支持部材１１０に対して着脱不能に構成されていてもよい。
【００２２】
第１の固定部１３０は、第２の支持部材１２０の底部１２２の第１の方向における一端部１２２ａに当接している。第２の固定部１４０は、第２の支持部材１２０の底部１２２の第１の方向におけるもう一方の端部１２２ｂを、第１の支持部材１１０の上面１１２へ押圧する押圧部１４２を有する。これにより、第２の支持部材１２０の底部１２２の一端部１２２ｂが、第２の固定部１４０の押圧部１４２と第１の支持部材１１０の上面１１２とによって挟まれるように固定される。
【００２３】
第２の固定部１４０は、第１の支持部材１１０の上面１１２よりも下方に延びており、第１の支持部材１１０の上面１１２の下方で第１の固定部１３０と接している。第１の固定部１３０及び第２の固定部１４０は、例えばボルトのような締結部材１６０によって互いに固定される。
【００２４】
好ましくは、第１の固定部１３０及び第２の固定部１４０は、第１の支持部材１１０に対してスライド移動可能に構成されている。具体的一例として、第１の支持部材１１０の側部１１３は、第１の方向に沿って延びる孔１１８を有する（図３，４参照）。第１の固定部１３０は、第２の方向に突出した突出部１３６を有する。なお、図３では、１つの孔１１８と１つの突出部１３６のみが示されているが、図３で示された第１の支持部材１１０の側部１１３とは反対側の側部に、同様の不図示の穴部と突出部が設けられている。第１の固定部１３０の一対の突出部１３６が、第１の支持部材１１０の側部１１３に形成された一対の孔１１８に挿入されることで、第１の固定部１３０及び第２の固定部１４０が第１の支持部材１１０に取り付けられる。本実施形態では、一対の孔１１８に挿入される一対の突出部１３６は、第１の固定部１３０に設けられているが、この代わりに、一対の突出部１３６は第２の固定部１４０に設けられていてもよい。
【００２５】
第１の支持部材１１０の側部１１３に形成された孔１１８は、突出部１３６よりも第１の方向に長く延びている。これにより、第１の固定部１３０及び第２の固定部１４０は、第２の支持部材１２０を支持した状態で第１の支持部材１１０に対してスライド移動可能となっている。つまり、パネル２０の第１の方向における位置を調節可能である。また、第２の支持部材１２０が移動可能となっていることにより、第２の支持部材１２０にパネル２０の端部を支持させ易くすることができる。
【００２６】
本実施形態では、第１の支持部材１１０の端部に設けられた開口１１５を覆うためのカバー２００が設けられている。カバー２００は、第１の支持部材１１０に対して着脱可能に構成されていてよい。カバー２００は、平面部２０２及び突出部２０４を有する。
【００２７】
平面部２０２は、第１の支持部材１１０の端部に設けられた開口１１５を覆う。突出部２０４は、平面部２０２から、平面部２０２と交差する方に突出している。突出部２０４は、第１の支持部材１１０の端部に設けられた開口１１５を囲む支持部材の一部に係合可能に構成されていえる。本実施形態では、突出部２０４は側部１１３に係合可能に構成されている。
【００２８】
突出部２０４は、一対設けられていてよい。一対の突出部２０４どうしの距離は、第１の支持部材１１０の幅と実質的に同じであってよい。これにより、カバー２００を第１の支持部材１１０に着脱させることができる。なお、平面部２０２は、第１の支持部材１１０の端部に設けられた開口１１５のすべてを塞いでもよく、その代わりに部分的に塞いでもよい。
【００２９】
このように、第１の支持部材１１０の端部に設けられた開口１１５を覆うカバー２００によって、太陽電池モジュールを保持する固定装置１００の意匠性を改善することができる。特に、屋根の傾斜方向に沿って配置される第１の支持部材１１０の軒側の端部に設けられた開口１１５をカバーで覆うと、屋根の下から開口１１５を視認し難くなるため、意匠性の改善効果が高い。
【００３０】
（２）第２の実施形態
第２の実施形態について、図５及び図６を参照して説明する。以下、第１の実施形態と同様の構成については、同様の符号を付し、その説明を省略する。図５は、第２の実施形態に係る第１の支持部材及びカバーの分解斜視図である。図６は、カバーを装着した第１の支持部材の斜視図である。
【００３１】
カバー２１０は、平面部２１２及び突出部２１４を有する。本実施形態では、突出部２１４は、締結部材２１８によって第１の支持部材１１０の側部１１３に締結可能に構成されている。
【００３２】
具体的には、突出部２１４は、第１の支持部材１１０の端部の開口１１５を囲む側部１１３の外面と当接する。突出部２１４は、例えば螺子のような締結部材２１８が挿入される孔２１６を有していてよい。これにより、カバー２１０が第１の支持部材１１０の端部の開口１１５を覆った状態で、カバー２１０を第１の支持部材１１０に取り付けることができる。このような構成では、カバー２１０と第１の支持部材１１０とを正確に位置合わせしなくても、締結部材２１８によって、カバー２１０を第１の支持部材１１０に臨機応変に固定することができる。
【００３３】
なお、突出部２１４を第１の支持部材１１０の底部１１７と当接するようにし、締結部材２１８で突出部２１４を底部１１７に締結することも可能である。
【００３４】
（３）第３の実施形態
第３の実施形態について、図７及び図８を参照して説明する。以下、第１の実施形態と同様の構成については、同様の符号を付し、その説明を省略する。図７は、第３の実施形態に係る第１の支持部材及びカバーの分解斜視図である。図８は、カバーを装着した第１の支持部材の斜視図である。
【００３５】
カバー２２０は、平面部２２２及び突出部２２４を有する。本実施形態では、突出部２２４は、第１の支持部材１１０の側部１１３に当接するリブ２２６を有する。
【００３６】
具体的には、突出部２２４は、第１の支持部材１１０の端部の開口１１５を囲む側部１１３の内側に挿入される。一対の突出部２２４の外面にリブ２２６が設けられているため、リブ２２６と第１の支持部材１１０の側部１１３の内面とがこすれあう。したがって、カバー２２０を第１の支持部材１１０に向けて押し込む操作のみによって、カバー２２０を第１の支持部材１１０に係合させることができる。
【００３７】
なお、図７及び図８に示す態様の代わりに、突出部２２４は、第１の支持部材１１０の端部の開口１１５を囲む側部１１３の外側に配置され、かつ一対の突出部２２４の内面にリブ２２６が設けられていてもよい。
【００３８】
（４）第４の実施形態
第４の実施形態について、図９〜図１２を参照して説明する。以下、第１の実施形態と同様の構成については、同様の符号を付し、その説明を省略する。図９は、第４の実施形態に係る第１の支持部材及びカバーの分解斜視図である。図１０は、第４の実施形態に係る第１の支持部材及びカバーの別の角度から見た分解斜視図である。図１１は、第１の固定部及び第２の固定部を取り付けた状態の第１の支持部材及びカバーの斜視図である。図１２は、カバーで開口を覆った状態の第１の支持部材の斜視図である。
【００３９】
カバー２３０は、平面部２３２及び突出部２３４を有する。本実施形態では、突出部２３４は、使用時に第１の支持部材１１０の底部１１７の内面と面するように構成されている。突出部２３４は、第１の支持部材１１０を他の要素、ここでは設置面１２に固定する固定具３００によって第１の支持部材１１０の底部１１７に固定可能に構成されている。
【００４０】
具体的には、突出部２３４は、固定具３００が挿入される孔２３６を有する。固定具３００は、突出部２３４の孔２３６と、第１の支持部材１１０の底部１１７を貫通して他の要素、例えば設置面１２に達している。
【００４１】
このように、第１の支持部材１１０を他の要素に固定する固定具３００を利用して、カバー２３０を第１の支持部材１１０に係合させることで、カバー２３０を第１の支持部材１１０に係合させるための余分な締結部材が不要となる。なお、突出部２３４は、図示のように平面部２３２の上部から折り曲げられるようにして底部１１７と対向してもよいし、図示していないが、平面部２３２の下部から真っすぐ延びるように底部１１７と対向してもよい。
【００４２】
また、突出部２３４の孔２３６は、突出部２３４の突出方向に沿って延びていることが好ましい。より具体的には、突出部２３４の孔２３６は、固定具３００の径よりも突出方向に長く延びている。これにより、カバー２３０は、固定具３００を緩めた状態で、突出方向にスライド移動可能に構成されている。このような構成によれば、カバー２３０を第１の支持部材１１０から完全に取り外すことなく、カバー２３０の平面部２３２を第１の支持部材１１０の開口１１５から離間させることができる。
【００４３】
図９及び図１０に示すように、固定具３００を緩め、カバー２３０の平面部２３２を第１の支持部材１１０の開口１１５から離間させることにより、第１の支持部材１１０の所定の位置に第１の固定部１３０及び第２の固定部１４０をアクセスできるようになる。第１の支持部材１１０の所定の位置に第１の固定部１３０及び第２の固定部１４０を取り付けた後に、カバー２３０を第１の支持部材１１０の開口１１５に向けて押し込む。このように、カバー２３０を第１の支持部材１１０から完全に取り外すことなく、第１の支持部材１１０を設置することができる。
【００４４】
（５）第５の実施形態
第５の実施形態について、図１３及び図１４を参照して説明する。以下、第１の実施形態と同様の構成については、同様の符号を付し、その説明を省略する。図１３は、第５の実施形態に係る第１の支持部材及びカバーの分解斜視図である。図１４は、カバーを装着した第１の支持部材の斜視図である。なお、便宜上、図１３及び図１４では、第１の支持部材の第１の固定部及び第２の固定部は示されていない。
【００４５】
カバー２６０は、平面部２６２及び一対の突出部２６４を有する。本実施形態では、一対の突出部２６４は、波形の板によって形成されている。具体的には、一対の突出部２６４は、一対の突出部２６４どうしの間の距離が突出方向の位置に応じて変化するように構成されている。
【００４６】
一対の突出部２６４どうしの間の最大距離Ｌ１は、一対の突出部２６４と当接する第１の支持部材１１０の内面間の間隔Ｌ２と同一又は当該間隔Ｌ２よりも大きいことが好ましい。また、一対の突出部２６４を第１の支持部材１１０の開口１１５内に挿入し易くするため、一対の突出部２６４どうしの間の最大距離Ｌ１は、第１の支持部材１１０の外径よりは小さいことが好ましい。
【００４７】
上記構成によれば、カバー２６０の突出部２６４を第１の支持部材１１０内に挿入したときに、一対の突出部２６４どうしの間の距離が最も広くなる部分２６４ａ，２６４ｂのみが、第１の支持部材１１０の内面と当接する。ここで、一対の突出部２６４は、波形の板によって形成されているため、板バネの作用により、一対の突出部２６４どうしの間の距離が最も広くなる部分２６４ａ，２６４ｂが、第１の支持部材１１０の内面と強く圧接する。これにより、カバー２６０を第１の支持部材１１０に押し込む操作のみでカバー２６０を第１の支持部材１１０に取り付けることができるとともに、カバー２６０と第１の支持部材１１０との係合力を向上させることができる。
【００４８】
（６）第６の実施形態
第６の実施形態について、図１５及び図１６を参照して説明する。以下、第１の実施形態と同様の構成については、同様の符号を付し、その説明を省略する。図１５は、第６の実施形態に係るカバーを装着した第１の支持部材の斜視図である。図１６は、図１５の１６Ａ−１６Ａ線に沿ったカバー及び第１の支持部材の断面図である。なお、便宜上、図１５及び図１６では、第１の支持部材の第１の固定部及び第２の固定部は示されていない。
【００４９】
カバー２４０は、平面部２４２及び突出部２４４を有する。詳細には図示していないが、突出部２４４は、前述のいずれかの実施形態と同様の構成を有していてよい。本実施形態では、カバー２４０は、カバー２４０と第１の支持部材１１０との間に隙間２４９を形成するように第１の支持部材１１０と係合可能に構成されている。
【００５０】
具体的には、平面部２４２は、第１の支持部材１１０の開口１１５を囲む側端部１１９に当接する突起部２４６を有する。平面部２４２の突起部２４６が第１の支持部材１１０の開口１１５を囲む側端部１１９に当接することによって、カバー２４０が開口１１５を覆った状態で、カバー２４０と第１の支持部材１１０との間に隙間２４９が形成される。
【００５１】
第１の支持部材１１０の中空部分に例えば雨のような液体が浸入した場合、液体は、カバー２４０と第１の支持部材１１０との間の隙間２４９から排出される。これにより、第１の支持部材１１０の内部に液体が溜まることを抑制することができる。
【００５２】
平面部２４２の突起部２４６は、第１の支持部材１１０の底部１１７と当接するよう構成されていることが好ましい。これにより、カバー２４０と第１の支持部材１１０との間の隙間２４９は、下方に向けて開口するため、液体の排水効果を向上させることができる。
【００５３】
（７）第７の実施形態
第７の実施形態について、図１７〜図１９を参照して説明する。以下、第１の実施形態と同様の構成については、同様の符号を付し、その説明を省略する。図１７は、第７の実施形態に係るカバーの上面図である。なお、図１７は、図１８に示す矢印１７Ａの方向から見たカバーの図である。図１８は、第７の実施形態に係る第１の支持部材及びカバーの分解斜視図である。図１９は、第７の実施形態に係るカバーを装着した第１の支持部材の斜視図である。なお、便宜上、図１８及び図１９では、第１の支持部材の第１の固定部及び第２の固定部は示されていない。
【００５４】
カバー２５０は、平面部２５２及び突出部２５４を有する。詳細には図示していないが、突出部２５４は、前述のいずれかの実施形態と同様の構成を有していてよい。本実施形態では、カバー２５０は、カバー２５０と第１の支持部材１１０との間に隙間２５９を形成するように第１の支持部材１１０と係合可能に構成されている。
【００５５】
具体的には、平面部２５２は、第１の支持部材１１０の開口を囲む側端部１１９に当接する突起部２５６を有する。平面部２５２の突起部２５６が第１の支持部材１１０の開口１１５を囲む側端部１１９に当接することによって、カバー２５０が開口１１５を覆った状態で、カバー２５０と第１の支持部材１１０との間に隙間２５９が形成される。これにより、第１の支持部材１１０の中空部分に浸入した液体を、隙間２５９から排出することができる。
【００５６】
本実施形態では、突起部２５６は、高さ方向（図のＺ方向）に平面部２５２の一端から他端まで延びている。突起部２５６は、平面部２５２を構成する平板の折り返しによって形成されていてよい。なお、図とは異なるが、押し出し加工によって突出部２５６が形成されていてもよい。また、突起部２５６の上方側の端部は、第１の支持部材１１０の開放部１１１に位置することが好ましい。これにより、平面部２５２の上方側の端部を、第１の支持部材１１０に当接させることができる。
【００５７】
（８）第８の実施形態
第８の実施形態について、図２０を参照して説明する。以下、第１の実施形態と同様の構成については、同様の符号を付し、その説明を省略する。図２０は、第８の実施形態に係る第１の支持部材及びカバーを、カバーの挿入方向から見た平面図である。
【００５８】
カバー２７０は、平面部２７２及び突出部２７４を有する。詳細には図示していないが、突出部２７４は、前述のいずれかの実施形態と同様の構成を有していてよい。
【００５９】
本実施形態では、平面部２７２は、第１の支持部材１１０の開口１１５を外部に連通させる切り欠き２７９を有する。これにより、第１の支持部材１１０の中空部分に浸入した液体を、平面部２７２に形成された切り欠き２７９のところから排出することができる。平面部２７２の切り欠き２７９は、平面部２７２の下部に形成されていることが好ましい。これにより、液体の排水効果を向上させることができる。
【００６０】
図２０に示す形態では平面部２７２は液体排出用の切り欠き２７９を有するが、この代わりに、又はこれに加えて、平面部２７２は、液体排出用の貫通孔を有していてもよい。
【００６１】
（９）第９の実施形態
第９の実施形態について、図２１を参照して説明する。以下、第１の実施形態と同様の構成については、同様の符号を付し、その説明を省略する。図２１は、第９の実施形態に係るカバーを装着した第１の支持部材を、第１の支持部材の上面側から見た上面図である。なお、便宜上、図２１では、第１の支持部材の第１の固定部及び第２の固定部は示されていない。
【００６２】
カバー２８０は、平面部２８２及び突出部２８４を有する。突出部２８４は、締結部材２８８によって第１の支持部材１１０に締結可能に構成されている。
【００６３】
突出部２８４は、平面部２８２から、平面部２８２に交差する方向に突出している。平面部２８２と突出部２８４は連続しており、平面部２８２と突出部２８４との間の移行部分２８３は、板の折り返しによって構成されている。カバー２８０を第１の支持部材１１０に取り付けたときに、移行部分２８３は、第１の支持部材１１０の開口１１５を囲む側端部１１９に当接する。これにより、平面部２８２と第１の支持部材１１０との間に隙間２８９が形成される。第１の支持部材１１０の中空部分に浸入した液体を、カバー２８０と第１の支持部材１１０との間の隙間２４９から排出することができる。
【００６４】
なお、移行部２８３を押し出し加工によりリブ状に形成することも可能である。
【００６５】
（１０）第１０の実施形態
第１０の実施形態について、図２２及び図２３を参照して説明する。以下、第１の実施形態と同様の構成については、同様の符号を付し、その説明を省略する。図２２は、第１０の実施形態に係るカバーを装着した第１の支持部材の断面図である。図２３は、第１０の実施形態に係るカバーの斜視図である。なお、便宜上、図２１では、第１の支持部材の第１の固定部及び第２の固定部は示されていない。
【００６６】
カバー２９０は、平面部２９２及び突出部２９４を有する。本実施形態では、突出部２９４は、締結部材２９８によって第１の支持部材１１０の底部１１７に締結可能に構成されている。
【００６７】
平面部２９２は、第１の支持部材１１０が延びる方向Ｙと交差する方向に隙間が向くように、第１の支持部材１１０の開口側の端部に対して傾いている（図２２参照）。
【００６８】
具体的には、平面部２９２は、突出部２９４に対して鋭角に傾いて形成されている。したがって、突出部２９４を第１の支持部材１１０の底部１１７に締結することによって、平面部２９２は、第１の支持部材の端部の開口１１５に対して傾く。これにより、
第１の支持部材１１０が延びる方向Ｙと交差する方向に隙間があき、当該隙間から第１の支持部材１１０の中空部分に浸入した液体を排出することができる。
【００６９】
また、図２３に示すように、突出部２９４は、切り欠き２９６を有することが好ましい。この切り欠き２９６によって、第１の支持部材１１０の中空部分に浸入した液体を排出し易くすることができる。
【００７０】
なお、突出部２９４は、切り欠き２９６の代わりに、又は切り欠き２９６に加えて、液体を排出可能な貫通孔を有していてもよい。
【００７１】
上述したように、実施形態を通じて本発明の内容を開示したが、この開示の一部をなす論述及び図面は、本発明を限定するものであると理解すべきではない。この開示から当業者には様々な代替の実施形態、実施例及び運用技術が明らかとなる。したがって、本発明の技術的範囲は、上述の説明から妥当な特許請求の範囲に係る発明特定事項によってのみ定められるものである。
【００７２】
例えば、上記実施形態では、第１の支持部材の一端部に設けられた開口を覆うカバーが示されている。これに限定されず、第１の支持部材の両端部に設けられた一対の開口を覆う一対のカバーが設けられていてもよい。また、上記実施形態では、カバーは、第１の支持部材の開口を覆っている。この代わりに、カバーは、第２の支持部材の端部に設けられた開口を覆うように構成されていてもよい。
【００７３】
また、各実施形態において、カバーの全体形状は、例えば、溶接することで形成されてもよく、曲げ加工によって形成されてもよく、押し出し加工によって形成されてもよい。
【００７４】
さらに、各実施形態に記載された特徴は、可能な限り、相互に交換又は組み合わせ可能であることに留意されたい。
【符号の説明】
【００７５】
１２      設置面
２０      パネル
１００    固定装置
１１０    第１の支持部材
１１１    開放部
１１５    開口
１２０    第２の支持部材
２００，２１０，２２０，２３０，２４０，２５０，２６０，２７０，２８０  カバー
２０２，２１２，２２２，２３２，２４２，２５２，２６２，２７２，２８２  平面部
２０４，２１４，２２４，２３４，２４４，２５４，２６４，２８４  突出部
【図１】
2018104939.tif 000003
【図２】
2018104939.tif 000004
【図３】
2018104939.tif 000005
【図４】
2018104939.tif 000006
【図５】
2018104939.tif 000007
【図６】
2018104939.tif 000008
【図７】
2018104939.tif 000009
【図８】
2018104939.tif 000010
【図９】
2018104939.tif 000011
【図１０】
2018104939.tif 000012
【図１１】
2018104939.tif 000013
【図１２】
2018104939.tif 000014
【図１３】
2018104939.tif 000015
【図１４】
2018104939.tif 000016
【図１５】
2018104939.tif 000017
【図１６】
2018104939.tif 000018
【図１７】
2018104939.tif 000019
【図１８】
2018104939.tif 000020
【図１９】
2018104939.tif 000021
【図２０】
2018104939.tif 000022
【図２１】
2018104939.tif 000023
【図２２】
2018104939.tif 000024
【図２３】
2018104939.tif 000025